(57)【特許請求の範囲】
【請求項１】
被記録媒体上に印刷されたパッチ画像に、測定部の光源から可視光の波長域のうちの一部の波長域の光を照射して、前記測定部により測定した分光反射率を取得する第１取得手段と、
被記録媒体上の第１の色材構成からなるパッチ画像に、前記一部の波長域と前記測定部の光源が照射しない波長域とを含む光を照射して、前記測定部以外の測色器により予め測定して得たリファレンス分光反射率を記憶部から取得する第２取得手段と、
前記測定部により測定した分光反射率及び前記一部の波長域のリファレンス分光反射率に基づいて調整値を特定する調整手段と、
前記印刷されたパッチ画像のうち前記第１の色材構成と同じ色材構成からなるパッチ画像について、前記調整値及び前記測定部の光源が照射しない波長域のリファレンス分光反射率に基づいて、前記測定部により測定していない波長域の分光反射率を特定する補間手段と、
前記測定部により測定した分光反射率及び前記補間手段により特定した前記測定部により測定していない波長域の分光反射率を用いて、前記印刷されたパッチ画像の補間済み分光反射率を生成する生成手段と、
を備えることを特徴とするデータ処理装置。
【請求項２】
請求項１に記載のデータ処理装置において、
前記印刷されたパッチ画像が前記第１の色材構成とは異なる第２の色材構成の第二パッチ画像を含む場合、前記第二パッチ画像の色材構成を取得する第３取得手段と、
前記生成手段が生成した補間済み分光反射率と、色予測式とに基づいて、前記第二パッチ画像の分光反射率を予測する色予測手段と、
前記測定部により測定した分光反射率及び前記色予測手段により予測した分光反射率に基づいて第二調整値を特定する第二調整手段と、
前記第二調整値及び前記予測分光反射率に基づいて前記測定部により測定していない波長域の分光反射率を特定する第二補間手段と、
前記測定部により測定した分光反射率及び前記第二補間手段により特定した分光反射率を用いて、前記第二パッチ画像の補間済み分光反射率を生成する第２生成手段と、
を備えることを特徴とするデータ処理装置。
【請求項３】
請求項１又は２に記載のデータ処理装置において、前記調整手段は、前記測定部により測定した分光反射率と、前記測定部により測定した分光反射率に対応する波長のリファレンス分光反射率との比率に基づいて所定の波長毎に調整値を特定することを特徴とするデータ処理装置。
【請求項４】
請求項１〜３のいずれか一項に記載のデータ処理装置において、前記記憶部を有することを特徴とするデータ処理装置。
【請求項５】
請求項１〜４のいずれか一項に記載のデータ処理装置において、前記第２取得手段は、前記リファレンス分光反射率を被記録媒体の種類毎に取得することを特徴とするデータ処理装置。
【請求項６】
請求項１〜５のいずれか一項に記載のデータ処理装置において、測定部をさらに備えることを特徴とするデータ処理装置。
【請求項７】
請求項１〜６のいずれか一項に記載のデータ処理装置において、被記録媒体上に前記パッチ画像を印刷する印刷部をさらに備えることを特徴とするデータ処理装置。
【請求項８】
被記録媒体上に印刷されたパッチ画像に、測定部の光源から可視光の波長域のうちの一部の波長域の光を照射して、前記測定部により測定した分光反射率を取得する第１の取得工程と、
被記録媒体上の第１の色材構成からなるパッチ画像に、前記一部の波長域と前記測定部の光源が照射しない波長域とを含む光を照射して、前記測定部以外の測色器により予め測定して得たリファレンス分光反射率を記憶部から取得する第２の取得工程と、
前記測定部により測定した分光反射率及び前記一部の波長域のリファレンス分光反射率に基づいて調整値を特定する調整工程と、
前記印刷されたパッチ画像のうち前記第１の色材構成と同じ色材構成からなるパッチ画像について、前記調整値及び前記測定部の光源が照射しない波長域のリファレンス分光反射率に基づいて、前記測定部により測定していない波長域の分光反射率を特定する補間工程と、
前記測定部により測定した分光反射率及び前記補間工程において特定した前記測定部により測定していない波長域の分光反射率を用いて、前記印刷されたパッチ画像の補間済み分光反射率を生成する生成工程と、
を備えることを特徴とするデータ処理方法。
【請求項９】
請求項８に記載のデータ処理方法をコンピュータにより実行することを特徴とするプログラム。
【発明の詳細な説明】
【技術分野】
【０００１】
本発明は、パッチ画像に光を照射し、パッチ画像からの反射光を測定することにより得る測色値のデータ処理を行うデータ処理装置、データ処理方法及びそのプログラムに関する。
【背景技術】
【０００２】
測色装置では、測定対象のパッチ画像に光源から光を照射し、パッチ画像からの反射光を測定することにより、測色値を得ている（特許文献１参照）。特許文献１では、可視光全体にわたるスペクトルを持つ光源を用いることが記載されている。しかしながら、例えば、プリンタなどの印刷装置に搭載するために低コスト・省スペースを重視して構成される測色装置の場合、単価が比較的安い光源が採用されることがある。例えば、照明機器用の白色ＬＥＤは、生産量が多く単価が比較的安い。
【先行技術文献】
【特許文献】
【０００３】
【特許文献１】特開２００４−２４５９３１号公報
【発明の概要】
【発明が解決しようとする課題】
【０００４】
しかしながら、照明機器用の白色ＬＥＤを測色装置の光源とした場合、虫除けや耐久性のために短波長域の光を出さないように設計されているため、短波長側の分光反射率が０％となってしまう。したがって、高精度の測色結果を得ることができない。
【０００５】
本発明は、上記課題に鑑みてなされたものであり、可視光の波長域のうちの一部の波長域を含む光を照射して測定した分光反射率から、高精度な測色結果を得ることができるデータ処理装置、データ処理方法及びそのプログラムを提供することを目的とする。
【課題を解決するための手段】
【０００６】
上記課題を解決する本発明の態様は、被記録媒体上に印刷されたパッチ画像に、測定部の光源から可視光の波長域のうちの一部の波長域の光を照射して、前記測定部により測定した分光反射率を取得する第１取得手段と、被記録媒体上の第１の色材構成からなるパッチ画像に、前記一部の波長域と前記測定部の光源が照射しない波長域とを含む光を照射して、前記測定部以外の測色器により予め測定して得たリファレンス分光反射率を記憶部から取得する第２取得手段と、前記測定部により測定した分光反射率及び前記一部の波長域のリファレンス分光反射率に基づいて調整値を特定する調整手段と、前記印刷されたパッチ画像のうち前記第１の色材構成と同じ色材構成からなるパッチ画像について、前記調整値及び前記測定部の光源が照射しない波長域のリファレンス分光反射率に基づいて、前記測定部により測定していない波長域の分光反射率を特定する補間手段と、前記測定部により測定した分光反射率及び前記補間手段により特定した前記測定部により測定していない波長域の分光反射率を用いて、前記印刷されたパッチ画像の補間済み分光反射率を生成する生成手段と、を備えることを特徴とするデータ処理装置にある。
【発明の効果】
【０００７】
本発明によれば、可視光の波長域のうちの一部の波長域を含む光を照射して測定した分光反射率から、当該一部の波長域以外の波長域の分光反射率を含む高精度な測色結果を得ることができるという効果を奏する。
【図面の簡単な説明】
【０００８】
【図１】実施形態１に係る測色器を内蔵したプリンタを用いて測色を行う様子を示すイメージ図である。
【図２】実施形態１に係る画像処理システムの構成を示すブロック図である。
【図３】実施形態１に係るプリントシステムのパッチ画像測色処理を示すフローチャートである。
【図４】実施形態１に係る規定パッチ画像の例を示す図である。
【図５】実施形態１に係る規定パッチ画像の分光反射率のリファレンス値の例を示す図である。
【図６】実施形態１に係る規定パッチ画像の分光反射率を算出する動作を示すフローチャートである。
【図７】実施形態１に係る規定パッチ画像以外のパッチ画像の分光反射率を予測する動作を示すフローチャートである。
【発明を実施するための形態】
【０００９】
（実施形態１）
以下、図面を参照して本発明の実施形態の一例を説明する。図１は、測色器を内蔵したプリンタを用いて測色を行う様子を示すイメージ図である。
【００１０】
本実施形態に係るプリンタは、図１に示すように、用紙１０１にパッチ画像１０２を形成するための記録ヘッドを含むキャリッジ１０３と、キャリッジ１０３の側面に設けられるセンサー１０４と、を備えている。キャリッジ１０３は、用紙１０１上を左右に走査しながら記録ヘッドからインクを吐出することで、用紙１０１にパッチ画像１０２を形成する。また、センサー１０４は、測色器であり、用紙１０１上に印刷されたパッチ画像に所定の波長域の光を照射してその分光反射率を測定し、ＣＩＥＬ＊ａ＊ｂ＊値等の測色値を取得することができる。
【００１１】
ここで、図２を用いて、本実施形態に係る画像処理システムの構成について説明する。図２（ａ）は、本実施形態に係る画像処理システムの第１の例である。
【００１２】
図２（ａ）に示すように、本実施形態に係る画像処理システムは、パーソナルコンピュータ（以下、「ＰＣ」ともいう）２０１と、キャリッジ１０３及びセンサー１０４を備えるプリンタ２０７と、を備えている。そして、ＰＣ２０１とプリンタ２０７は、ネットワーク、ＵＳＢ、ローカルバス等のインターフェースを介して接続されている。この画像処理システムは、公知の方法でデバイス非依存空間のカラーデータを色材色データに変換する画像処理を行って、用紙１０１等の被記録媒体に画像を形成することができる。この第１の例では、ＰＣ２０１が本発明のデータ処理装置として機能する。
【００１３】
ＰＣ２０１は、ＵＩ２０２と、ＣＰＵ（中央演算処理装置）２０３と、作業メモリ２０４と、記憶装置２０５と、データ入出力装置２０６とを備えており、以下に示すように、情報処理装置として、プリンタ２０７の制御に関して種々の処理を行う。
【００１４】
ユーザーインターフェースとなる操作部（単に「ＵＩ」ともいう）２０２は、キーボードやマウス等の入力機器及びディスプレイ等の表示器を含み、画像処理の実行の際に使用者による入力処理や使用者に対する表示処理を行う。
【００１５】
ＣＰＵ２０３は、記憶装置２０５に格納されたプログラム、例えば、後述する分光反射率補間処理のプログラムや色予測処理のプログラムに従って、制御処理を実行する。
【００１６】
作業メモリ２０４は、ＣＰＵ２０３が制御処理する際のワークエリアとして用いられる。
【００１７】
記憶装置２０５は、システムプログラム、ＰＣ２０１で作成された印刷対象データ、印刷に必要な各種画像処理パラメータ、後述するパッチ画像、リファレンス分光反射率等を記憶する。記憶装置２０５としては、ハードディスクやフラッシュＲＯＭ等を挙げることができる。また、この記憶装置２０５は、パッチ画像を構成する色材（インク等）の構成と、ある波長域の光（センサー１０４では照射できない波長域を含む光）を規定パッチ画像に照射して測定した分光反射率（以下、リファレンス分光反射率ともいう）と、を記憶している。ここで、パッチ画像を構成する色材の構成とは、具体的には、色材の組合せ及びその割合を予め規定したパッチ画像（以下、規定パッチともいう）データである。このリファレンス分光反射率は、パッチ画像毎且つ被記録媒体（用紙等）の種類毎に記憶されている。なお、このリファレンス分光反射率は、上記の規定パッチ画像の分光反射率を予めセンサー１０４以外の測色器、具体的には、センサー１０４の波長域以外の波長域を含む光を照射して、分光反射率を測定可能な測色器により測定して得ることができる。また、規定パッチ画像の分光反射率の理想値が既知である場合はそれを流用するようにしてもよい。
【００１８】
データ入出力装置２０６は、ＣＤやＵＳＢメモリに代表される可搬性のある記憶装置やＬＡＮカードに代表されるようなデータ通信機器であり、印刷対象データを入力する際のインターフェースとして使用される。
【００１９】
プリンタ２０７は、データ転送部２０８と、プリンタ制御部２０９と、画像処理部２１０と、印刷部２１１と、測定部２１２とを備えており、ＰＣ２０１から送られてきた印刷データを用いて印刷を行う装置である。ここでいう印刷データとしては、画像データ、画像処理パラメータ、プリンタ制御データが挙げられる。プリンタ制御データには、パッチ画像を測色処理する際の測定部２１２の制御情報が含まれる。
【００２０】
データ転送部２０８は、ＰＣ２０１から送られてきた印刷データから、画像データと画像処理パラメータを取り出して画像処理部２１０に送り、また、プリンタ制御データをプリンタ制御部２０９に送る。プリンタ制御部２０９は、データ転送部２０８から送られたプリンタ制御データに従って測定部２１２を含むプリンタ２０７の動作を制御する。画像処理部２１０は、データ転送部２０８から送られてきた画像データと画像処理パラメータを使用して色変換やハーフトーニング等の画像処理を行い、結果を印刷部２１１に送る。
【００２１】
印刷部２１１は、キャリッジ１０３の記録ヘッドを用いてインクを吐出することにより、画像処理部２１０から送られてきた処理結果の印刷を行う。このプリンタ２０７において、印刷動作は、インクジェットプリンタ、電子写真プリンタなどで使用される公知の方法によって実行でき、本発明の特徴とするところではないため、ここではその詳細な説明を省略する。
【００２２】
上述したように、図２（ａ）に示すプリンタ２０７は、印刷されたパッチ画像の分光反射率を測定することができる測定部２１２を備えている。図２（ａ）では、測定部２１２がプリンタ２０７に内蔵されているが、測定部２１２は、プリンタへ内蔵専用の測定器に限定されるものではなく、市販の測定器をプリンタ２０７に直接接続又はネットワーク等を介して接続したものであってもよい。
【００２３】
測定部２１２は、分光反射率を測定することができるセンサーを具備している。このセンサーは、印刷したパッチ画像の分光反射率を測定し、分光反射率に基づいてＣＩＥＬ＊ａ＊ｂ＊値等の測色値を取得する。なお、図１におけるセンサー１０４が測定部２１２に該当する。そして、測定部２１２は、プリンタ２０７で印刷されたパッチ画像の分光反射率をプリンタ制御部２０９の指示に従って測定し、その結果をプリンタ制御部２０９を介してＰＣ２０１に返す。
【００２４】
また、測定部２１２は、パッチ画像が印刷された被記録媒体に光を照射する光源を備えている。本実施形態に係る測定部２１２の光源は、可視光の波長域うちの一部の波長域を含む光を照射するものである。
【００２５】
一方、上述したように、記憶装置２０５は、測定部２１２の光源が照射する光の波長域（以下、光源の波長域ともいう）以外の波長域を含む光を規定パッチ画像に照射して予め測定した分光反射率をリファレンス分光反射率として記憶している。
【００２６】
ここで、リファレンス分光反射率は、光源の波長域以外の波長域を含む光を照射して測定することにより得たものである。このリファレンス分光反射率は、可視光の全波長域を含む光を照射して測定することにより得たものであるのが好ましいが、光源の波長域以外の波長域を含む狭い波長域の光を照射して測定することにより得たものであってもよい。例えば、リファレンス分光反射率は、光源の波長域よりも短波長側の波長域を含む光を照射して得たものであってもよく、光源の波長域よりも長波長側の波長域を含む光を照射して得たものであってもよく、これらの両者を備えるものであってもよい。また、上述したように、リファレンス分光反射率は、光源の波長域以外の波長域を含む光を照射して測定したものであればよいが、光源の波長域のうち少なくとも一部の波長域を含む光を照射して測定したものであるのが好ましい。リファレンス分光反射率として、光源の波長域以外の波長域だけでなく、光源の波長域のうち広い波長域を含む光を照射して測定することにより得たものを備える場合は、光源のうち狭い波長域を含む光を照射して照射して測定することにより得たものを備える場合よりも、後述する調整値の精度が向上するため、より高精度な分光反射率を得ることができる。さらに、リファレンス分光反射率として、可視光のうち広い波長域の光を照射して測定することにより得たものを備える場合は、可視光のうち狭い波長域の光を照射して測定することにより得たものを備える場合よりも、高精度な分光反射率を得ることができる。
【００２７】
本実施形態では、測定部２１２の光源は、４２０ｎｍ−７００ｎｍの波長域の光を照射するものとし、記憶装置２０５は、３８０ｎｍ−７３０ｎｍの波長域の光を規定パッチ画像に照射して得たリファレンス分光反射率を予め記憶するものとした。なお、測定部２１２は、自身の光源と同範囲の波長域の分光反射率を測定する。
【００２８】
この画像処理システムでは、種々のソフトウェアによって処理された文書や画像等の印刷対象データを印刷することができる。すなわち、ＰＣ２０１におけるプリントソフトウェアによって処理された印刷対象データと、印刷設定に応じた画像処理パラメータを記憶装置２０５から選択して、印刷ジョブデータとしてプリンタ２０７へ出力し、印刷を行わせることができる。
【００２９】
また、使用者がパッチ画像の測色処理の開始をＵＩ２０２から指示すると、パッチ画像をプリンタ２０７に送信して印刷させる。その後にプリンタ２０７の測定部２１２で分光反射率を測定させる。そして、詳細は後述するが、測定結果を所定の方法により所定の測色値に変換し、変換した結果をＵＩ２０２やデータ入出力装置２０６を介して使用者に提示することができる。
【００３０】
図２（ｂ）に、本実施形態に係る画像処理システムの第二の例の構成を示す。
【００３１】
プリンタ３０８は、演算部３０１と、画像処理部３０９と、印刷部３１０と、測定部３１１と、を備えている。そして、プリンタ３０８は、外部のホストＰＣ３０７とネットワーク等を介して接続されている。
【００３２】
このプリンタ３０８には、第一の構成のＰＣ２０１と同様の機能を有する演算部３０１が内部に含まれている。この演算部３０１は、ＵＩ３０２と、ＣＰＵ３０３と、作業メモリ３０４と、記憶装置３０５と、データ入出力装置３０６とを備えている。ＣＰＵ３０３は、上述したＣＰＵ２０３と同様の機能を有している。そして、演算部３０１は、上述したＰＣ２０１と同様の動作を行うと共に、測定部３１１の制御を行う。
【００３３】
データ入出力装置３０６は、ＬＡＮカードに代表されるようなデータ通信機器である。このデータ入出力装置３０６は、印刷対象データやパッチ測色処理の実行命令を他のホストＰＣ３０７から受け取る際のインターフェースとして使用される。なお、図２（ｂ）では、データ入出力装置３０６がインターフェースとしてホストＰＣ３０７を接続した例を示しているが、ＣＤやＵＳＢメモリに代表される可搬性のある記憶装置からデータの入出力を行う構成としてもよい。
【００３４】
ＵＩ３０２は、上述したＵＩ２０２と同様の機能を有し、作業メモリ３０４は、上述した作業メモリ２０４と同様の機能を有し、記憶装置３０５は、上述した記憶装置２０５と同様の機能を有する。また、画像処理部３０９は、上述した画像処理部２１０と同様の機能を有し、印刷部３１０は、上述した印刷部２１１と同様の機能を有し、測定部３１１は、上述した測定部２１２と同様の機能を有する。したがって、これらの説明は省略する。
【００３５】
また、図２（ｂ）に示す画像処理システムにおいて、ホストＰＣ３０７は測色の際に用いないようにしてもよい。例えば、印刷対象データや測色結果の入出力を可搬性のある記憶装置を介して行い、通常の印刷実行やパッチ測色処理命令をＵＩ３０２から指定すればプリンタ３０８のみで処理を完結させることができる。この第２の例では、プリンタ３０８が本発明のデータ処理装置として機能する。
【００３６】
ここで、図３〜７を用いて本実施形態の測色処理について説明する。
【００３７】
まず、図３は、本実施形態に係るパッチ画像測色処理を示すフローである。なお、パッチ画像測色処理は、上述した第一の例の画像処理システム及び第二の例の画像処理システムの両構成において同様であるため、特に断りが無い限りは第一の例の画像処理システムを用いて説明する。
【００３８】
まず、ステップ３０１において、作業者は、ＵＩ２０２でパッチ画像測色処理実行の指示を行う。このとき、作業者は、測定を行うパッチ画像を指定する。作業者は、測色を行うパッチ画像として、規定パッチを選択することができるし、色材の構成を指定したオリジナルのパッチ画像を作成してこれを選択することもできるし、これらの両者を選択することもできる。オリジナルのパッチ画像を作成してこれを選択する場合は、作業者が指定したオリジナルのパッチ画像だけでなく、色予測に必要なパッチ画像が規定パッチに含まれるか、事前に色予測に必要なパッチ画像の測色が終わっている必要がある。また、作業者は、測色結果の形式（分光反射率、ＣＩＥＬ＊ａ＊ｂ＊、ＣＩＥ  ＸＹＺ、光学濃度等）も指定することができる。本実施形態では、測色結果として分光反射率を指定したものとして説明する。
【００３９】
ステップ３０２において、テストチャートの印刷準備を行う。具体的には、まず、パッチ画像の画像データと、パッチ画像の印刷用の画像処理パラメータと、パッチ画像測定用制御データを、記憶装置２０５から作業メモリ２０４に読み込む。パッチ画像の画像データとしては、図４に示すような規定パッチの画像データが挙げられる。次に、読み込んだデータから印刷ジョブデータを生成し、データ転送部２０８に転送する。
【００４０】
ステップ３０３において、プリンタ制御部２０９が、画像処理パラメータを画像処理部２１０にセットし、画像処理を行う。なお、第二の例の画像処理システムの場合は、演算部３０１が画像処理パラメータを画像処理部３０９にセットし、画像処理を行う。
【００４１】
ステップ３０４において、被記録媒体上に印刷部２１１によりステップ３０３で画像処理が行われたデータを印刷する。
【００４２】
ステップ３０５において、印刷されたパッチ画像の所定の波長域毎の分光反射率を測定部２１２で測定し、その結果を記憶装置２０５に格納する。
【００４３】
ステップ３０６において、ステップ３０５で測定されたパッチ画像の分光反射率から、後述する手段を用いて、規定パッチと同じ色材構成からなるパッチ画像について実測していない波長域の分光反射率を補間する。
【００４４】
ステップ３０７において、ステップ３０１で指定された測色対象のパッチが、規定パッチと同じ色材構成からなるパッチ画像のみであるか否かを判定する。測色対象のパッチが同じ色材構成からなるパッチ画像のみである場合はステップ３０９に進む。規定パッチの色材構成とは異なる色材構成からなるパッチ画像が測定対象として含まれる場合は、ステップ３０８に進む。
【００４５】
ステップ３０８において、規定パッチの色材構成とは異なる色材構成からなるパッチ画像、言い換えれば、オリジナルの色材構成からなるパッチ画像について、分光反射率を予測する。詳細は後述するが、ステップ３０５で測定されたパッチ画像の実測分光反射率と、ステップ３０６で補間して算出したパッチ画像の分光反射率とから、後述の色予測方法に基づいて、オリジナルの色材構成からなるパッチ画像の分光反射率を予測・補間する。
【００４６】
ステップ３０９において、ステップ３０６で補間した分光反射率、及び必要に応じてステップ３０８で予測・補間して算出した分光反射率から、パッチ画像の補間済み分光反射率を算出する。そして、ステップ３０１で指定された形式の測色値に公知の方法で変換する。得られた測色値をＵＩ２０２やデータ入出力装置２０６を介して使用者に提示して処理を終了する。
【００４７】
プリンタ２０７で印刷をする際には、ＰＣ２０１は、ステップ３０８において算出された分光反射率又は変換された測色値に基づいて、印刷対象の印刷データの各インク色の色校正を行った上で、印刷を行うように指示する。
【００４８】
図４は、本実施形態に係る規定パッチ画像の一例である。規定パッチは、処理に必要なパッチを内包するように構成されているのが好ましい。例えば、色予測を行う場合は、規定パッチは、色予測の演算に必要なパッチ画像を内包するように構成されているのが好ましい。色予測の際に一般的なＹｕｌｅ−Ｎｉｅｌｓｅｎ，Ｎｅｕｇｅｂａｕｅｒ法を用いる場合は、プリンタの色材の一次色と複数の色材を混合したＮ次色を組み合わせたパッチ画像が規定パッチとする。一方、色予測の際に、特許第０４１３１２０４号に示されるように、一次色の分光反射率のみからＮ次色の色を予測する手法を用いる場合は、一次色のパッチ画像のみを規定パッチとすることが可能である。なお、一般的なキャリブレーションのように、一次色の測色値のみを使用する処理は、処理に必要なパッチを全て規定パッチに含めるようにすることにより、後述する色予測による補間を省略することができる。
【００４９】
図５を用いて、規定パッチ画像の分光反射率のリファレンス値（「リファレンス分光反射率」ともいう）の保持方法について説明する。図５は、実施形態１に係る規定パッチ画像の分光反射率のリファレンス値の例である。リファレンス分光反射率は、所定の波長域、具体的には、光源の照射する光の波長域以外の波長域を含む光を照射して、正確に測定して求められたものである。本実施形態では、リファレンス分光反射率は、センサー１０４が備える光源の照射する光の波長域よりも広い波長域の光を照射して、測定して求めたものである。図５におけるリファレンス分光反射率の値は、照射した光を１とした場合の反射割合である。リファレンス分光反射率は、パッチ画像を構成する色材の組み合わせ及びその割合と対応づけて記憶装置２０５に記憶されている。本実施形態では、色材としてインクを用いているので、リファレンス分光反射率は、インク構成比率と対応づけて記憶装置２０５に記憶されている。
【００５０】
ここで、図６を用いて、ステップ３０６のパッチの分光反射率の補間方法について説明する。図６は、図３のステップ３０６の動作、すなわち、規定パッチと同じ色材構成からなるパッチの分光反射率を補間する動作を示すフローチャートである。
【００５１】
まず、ステップ６０１において、ＣＰＵ２０３が記憶装置２０５から規定パッチ画像のリファレンス分光反射率を取得する。この規定パッチ画像は、ステップ３０４で印刷されたデータ（画像）のうちの少なくとも一部の画像と、同一の色材構成率で作成したものである。このとき、リファレンス分光反射率は、ステップ３０４において使用した被記録媒体と同一の被記録媒体上に作成された規定パッチ画像の分光反射率であるのが好ましい。
【００５２】
ステップ６０２において、ＣＰＵ２０３は実測した分光反射率とリファレンス分光反射率から調整値を算出する。具体的には、実測した分光反射率と対応するリファレンス分光反射率との比率を所定の波長毎に求め、これらを平均化することにより調整値を算出する。本実施形態では、測定部２１２で測定された４２０ｎｍ−７００ｎｍの分光反射率Ｒｍ（λ）を４０ｎｍ毎に取得し、次式を用いて、対応するリファレンス分光反射率Ｒｒ（λ）との比率を平均して調整値Ａを算出する。
【００５３】
【数１】
0005963511.tif 000002
【００５４】
ステップ６０３において、ＣＰＵ２０３は調整値とリファレンス分光反射率とから、測定部２１２からは取得できない波長（実測していない波長）の分光反射率を補間する。具体的には、実測していない波長のリファレンス分光反射率に、ステップ６０２で算出された調整値Ａを掛けることにより、実測していない波長の分光反射率を補間する。本実施形態では、下記式に示すように、ステップ６０２で算出された調整値Ａを、測定部２１２で取得できない波長（３８０ｎｍ−４１０ｎｍ，７１０ｎｍ−７３０ｎｍ）のリファレンス分光反射率Ｒｒ（λ）にそれぞれ掛ける。これにより、測定部２１２により取得できない波長の分光反射率Ｒ’ｍ（λ）を算出する。
【００５５】
【数２】
0005963511.tif 000003
【００５６】
ステップ６０４において、測定部２１２で測定された４２０ｎｍ−７００ｎｍの分光反射率Ｒｍ（λ）とステップ６０３で算出した分光反射率Ｒ’ｍ（λ）を結合して、規定パッチと同じ色材構成からなるパッチ画像の補間済み分光反射率を求める。この補間済み分光反射率は、記憶装置２０５に格納する。
【００５７】
ここで、図７を用いて、規定パッチ画像とは異なる色材構成からなるパッチ画像（以下、「他のパッチ画像」ともいう）の分光反射率を予測する方法について説明する。図７は、図３のステップ３０８の動作、すなわち、他のパッチ画像の分光反射率を予測する動作を示すフローチャートである。
【００５８】
まず、ステップ７０１において、ＣＰＵ２０３が図３のステップ３０１で入力された測定対象である他のパッチ画像の色材構成の情報を取得する。このとき使用する色材構成の情報は、使用者が直接入力してもよいし、使用者が入力したデバイス非依存空間のカラーデータを画像処理システムの記憶装置２０５に記憶される画像処理パラメータを使用して変換して得たものであってもよい。
【００５９】
ステップ７０２において、図６のステップ６０４で記憶装置２０５に格納したパッチ画像の補間済み分光反射率の中から、ＣＰＵ２０３が色予測に必要なパッチ画像の分光反射率を取得する。ここでいう必要なパッチ画像とは、上述した通り、色予測のアルゴリズムに依存し、プリンタの色材色の一次色と複数の色材を混合したＮ次色を組み合わせたパッチ画像の場合もあれば一次色のパッチ画像のみの場合もある。
【００６０】
ステップ７０３において、ステップ７０２で取得した規定パッチと同じ色材構成からなるパッチ画像の補間済み分光反射率を用い、ＣＰＵ２０３は色予測式に基づいて他のパッチ画像の分光反射率Ｒｐ（λ）を予測する。なお、色予測方法は、上述したＹｕｌｅ−Ｎｉｅｌｓｅｎ，Ｎｅｕｇｅｂａｕｅｒ法や、特許第０４１３１２０４号に示されるような方法によって実行できる。この色予測方法は、本発明の特徴とするところではないため、詳細な説明を省略する。
【００６１】
ステップ７０４において、実測した分光反射率及びステップ７０３で予測した予測分光反射率Ｒｐ（λ）から調整値Ｂを算出する。具体的には、リファレンス分光反射率Ｒｒ（λ）の代わりに予測分光反射率Ｒｐ（λ）を用いる以外は、図６のステップ６０２と同様の方法により、調整値Ｂを算出する。
【００６２】
ステップ７０５において、調整値Ｂ及び予測分光反射率Ｒｐ（λ）から、測定部２１２からは取得できない波長（実測していない波長）の分光反射率を補間する。具体的には、リファレンス分光反射率Ｒｒ（λ）の代わりに予測分光反射率Ｒｐ（λ）を用い且つ調整値Ａの代わりに調整値Ｂを用いる以外は図６のステップ６０３と同様の方法により、分光反射率Ｒ’ｍ（λ）を算出する。本実施形態では、３８０ｎｍ−４１０ｎｍ及び７１０ｎｍ−７３０ｎｍの分光反射率Ｒ’ｍ（λ）を算出する。
【００６３】
ステップ７０６において、ＣＰＵ２０３は測定部２１２で測定された４２０ｎｍ−７００ｎｍの分光反射率Ｒｍ（λ）とステップ７０５で算出した分光反射率Ｒ’ｍ（λ）を結合して、他のパッチ画像の予測・補間済み分光反射率を求める。この予測・補間済み分光反射率は、記憶装置２０５に格納する。
【００６４】
上述したように、被記録媒体上に測色装置で使用される色材を用いて作成されたパッチ画像に、実測する波長域以外の波長域を含む光を照射して予め測定したリファレンス分光反射率を用いることにより、狭い波長域の光を照射して測定しても、高精度に測色値を求めることができる。具体的には、実測する波長域以外の波長域を含む光を照射して予め測定したリファレンス分光反射率と実測した分光反射率に基づいて調整値を算出し、測定していない波長域の分光反射率の補間を行うことにより、高精度に測色値を求めることができる。すなわち、本発明によれば、測色に不十分である波長域、例えば、可視光の一部の領域の波長域の光を照射する光源を用いた測色装置を用いた場合でも、高精度に測色値を求めることができる。
【００６５】
（他の実施形態）
以上、各実施形態を説明したが、本発明の基本的構成は上述したものに限定されるものではない。
【００６６】
上述したように、リファレンス分光反射率は、ステップ３０４において使用した被記録媒体と同一の被記録媒体上に作成された規定パッチ画像の分光反射率であるのが好ましいが、これに限定されるものではない。例えば、ステップ３０４において使用した被記録媒体とは異なる被記録媒体上に作成された規定パッチ画像のリファレンス分光反射率に、被記録媒体の種類に応じた所定の値を加算等して、所望の被記録媒体のリファレンス分光反射率を求めるようにしてもよい。
【００６７】
上述した実施形態では、測定部２１２で測定された分光反射率Ｒｍ（λ）を４０ｎｍ毎に取得して調整値を求めたが、これに限定されず、例えば、２０ｎｍ毎や６０ｎｍ毎に取得してもよい。また、上述した実施形態では、実測した分光反射率と対応するリファレンス分光反射率との比率を所定の波長毎に求め、これらを平均化することにより調整値を算出したが、ここでいう「所定の波長域」は完全に一致していなくてもよい。例えば、実測した分光反射率との波長の差が小さい（例えば、１０ｎｍ以下）場合は、対応するリファレンス分光反射率と判断して、実測した分光反射率と対応するリファレンス分光反射率との比率を求めてもよい。
【００６８】
また、上述した実施形態では、ＰＣ２０１の記憶装置２０５に記憶されているリファレンス分光反射率を取得したが、これに限定されるものではない。例えば、ネットワークを介してネットワーク上の記憶装置からリファレンス分光反射率を取得してもよく、他のプリンタが保持するリファレンス分光反射率を取得してもよい。
【００６９】
上述した実施形態では、規定パッチとは異なる色材構成からなるオリジナルのパッチ画像を選択して測色することができる構成としたが、これに限定されるものではない。規定パッチと同じ色材構成からなるパッチ画像のみを測色する測色装置の場合は、測色対象が規定パッチと同じ色材構成からなるパッチ画像のみか否かの判定や色予測を行う構成を備えていなくてもよい。
【００７０】
本発明のデータ処理装置は、測色装置の測色処理を行う装置やシステムに適用することができ、上述した構成以外の画像処理システムやその他のシステムにも適用することができる。
【００７１】
また、本実施形態は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（ＣＰＵやＭＰＵ等）がプログラムを読み出して実行する処理である。また、プログラムは、１つのコンピュータで実行させても、複数のコンピュータを連動させて実行させるようにしてもよい。また、上記した処理の全てをソフトウェアで実現する必要はなく、一部または全部をハードウェアによって実現するようにしてもよい。
【符号の説明】
【００７２】
１０１  用紙
１０２  パッチ
１０３  キャリッジ
１０４  測色センサー
２０１  ＰＣ
２０２，３０２  ＵＩ
２０３，３０３  ＣＰＵ
２０４，３０４  作業メモリ
２０５，３０５  記憶装置
２０６，３０６  データ入出力装置
２０７，３０８  プリンタ
２０８  データ転送部
２０９  プリンタ制御部
２１０，３０９  画像処理部
２１１，３１０  印刷部
２１２，３１１  測定部
３０１  演算部
３０７  ホストＰＣ
【図１】
0005963511.tif 000004
【図２】
0005963511.tif 000005
【図３】
0005963511.tif 000006
【図４】
0005963511.tif 000007
【図５】
0005963511.tif 000008
【図６】
0005963511.tif 000009
【図７】
0005963511.tif 000010